(57)【要約】【課題】  強度が強く、軽量、折畳みや収納が簡単、外観の多様な変化などの実用性を備えた折畳み収納可能式入れケースを実現することを目的とする。【解決手段】  折畳み特性を有する板を折ってなる複数のフレキシブル板１１、１２を結合手段２０により相互に結合してなる立体結合体１０を有する。立体結合体１０は、両側に相互に結合してなる漸縮縁部１３が有する。立体結合体１０の前面或いは上面等に、物品出し入れ口１４が形成してある。立体結合体１０は折畳み可能である。【選択図】  図１
0003145112.tif 000002
【実用新案登録請求の範囲】
【請求項１】
折畳み特性を有する板を折ってなる複数のフレキシブル板（１１、１２）を結合手段（２０）により相互に結合してなる立体結合体（１０）を有し、
前記立体結合体（１０）は、少なくとも片側に、相互に結合した漸縮縁部（１３）を有してなり、
且つ、前記立体結合体（１０）の大面積予定箇所に、少なくとも一つの物品出し入れ口（１４）が形成してあることを特徴とする折畳み収納可能式入れケース。
【請求項２】
前記結合手段（２０）は、高周波結合、熱接着、スナップボタン、タブ差込式等の結合方式が可能であることを特徴とする請求項１に記載の折畳み収納可能式入れケース。
【請求項３】
前記フレキシブル板は、折畳み予定箇所に、相互に結合し、形成された立体結合体（１０）をプレス折畳み可能な形態にするための欠け口（１７）が形成してあることを特徴とする請求項１に記載の折畳み収納可能式入れケース。
【請求項４】
前記漸縮縁部（１３）の所定の箇所には、紐（１６）を通すための、複数の貫通孔（１５）が形成してあることを特徴とする請求項１に記載の折畳み収納可能式入れケース。
【請求項５】
前記立体結合体（１０）を形成するフレキシブル板（１１、１２）の所定の箇所、及び形成された漸縮縁部（１３）の所定の箇所に、組立や位置固定に合わせるためのオス、メス留め具（３０、３１）の設置に供するための設置孔（１８）が形成してあることを特徴とする請求項１に記載の折畳み収納可能式入れケース。
【考案の詳細な説明】
【技術分野】
【０００１】
本考案は入れケースに係り、特に折畳み収納可能式入れケースに関する。
【背景技術】
【０００２】
一般の入れケースは、様々な外観の使用状態があり、入れケース作りには様々な材質が可能だが、
【考案の開示】
【考案が解決しようとする課題】
【０００３】
しかし、いろんな材質で作られた入れケースは、使用の際、不便なところがたくさんある。例えば、紙や布製入れケースは外観の多様な変化が可能になるが、構造上の支持強度がやや不足し、外力などで外観の変形や破裂が起こる可能性がある。
【０００４】
他の材質で作られた入れケースは、外観の多様性が限られ、通常は折畳み収納が簡単にできず、廃棄の際、容易に折畳めず、一定のスペースを占め、使用空間の無駄使いなどの問題になる。
【０００５】
上述の従来の構造に存在した問題点について、より理想的で、実用性があるオリジナル構造を開発するのが、ユーザの望むことでもあり、関連業者が努力して、研究開発、突破していく目標と方向でもある。
【０００６】
それらを鑑みて、考案者は関連製品の開発や設計に携わる長年の経験を持っており、上述の目標について詳しく設計、慎重に評価した。
【０００７】
本考案は、上記課題を解決した実用性のある折畳み収納可能式入れケースを提供することを目的とする。
【課題を解決するための手段】
【０００８】
本考案の課題を解決するための技術特徴としては、主にフレキシブル板の折畳み特性を利用して、折畳まれた複数のフレキシブル板を相互に結合し、立体結合体を構成してなり、その結合箇所は、結合手段により相互に結合し、そして、前記立体結合体は少なくとも片側が相互に結合し、漸縮縁部を形成してなり、前記立体結合体の大面積予定箇所に少なくとも一つの物品出し入れ口が設けられ、前記フレキシブル板の折畳み予定箇所に、相互に結合し、形成された立体結合体をプレス折畳み可能な形態にするための欠け口が形成してある。
【０００９】
結合手段としては、高周波結合、熱接着、スナップボタン、タブ差込式等の結合方式が可能である。
【考案の効果】
【００１０】
従来の技術に比較すると、本考案はこのようなオリジナル設計により、フレキシブル板の折畳みで立体結合体が構成され、大面積予定箇所に物品出し入れ口及び折畳み箇所に欠け口が設けられ、それにより、構成された構造体の支持強度がよく、軽量、折畳みや収納が簡単、外観の多様な変化が可能などの実用性・進歩性を持っている。
【考案を実施するための最良の形態】
【００１１】
以下、本考案の折畳み収納可能式入れケースの各実施例について説明する。
【実施例１】
【００１２】
図１は本考案の実施例１になる折畳み収納可能式入れケースの斜視図、図２は図１の折畳み収納可能式入れケースを背面側から見て示す斜視図、図３（Ａ）は図１の折畳み収納可能式入れケースの正面図、（Ｂ）は折畳んだ状態のケースを示す図である。
【００１３】
Ｘは立体結合体１０の長手方向、Ｙは奥行き方向、Ｚは高さ方向である。
【００１４】
折畳み特性を有する板（例えば、ＰＰ板）を折り予定箇所で折ってなる二枚のフレキシブル板１１、１２を結合し、立体結合体１０が構成してある。この立体結合体１０が折畳み収納可能式入れケースを構成する。フレキシブル板１１、１２間の結合箇所は、結合手段２０により相互に結合してある。結合手段２０は、高周波結合２１（又は熱接着）である。立体結合体１０の両側に漸縮縁部１３が形成されている。また、立体結合体１０の大面積予定箇所である前面の箇所に、物品を取り出すための、一つの物品出し入れ口１４が形成してある。
【００１５】
図２に示すように、フレキシブル板１１、１２の折畳み予定箇所には、図３（Ｂ）に示すように圧縮した場合に、フレキシブル板１１、１２を扁平に折畳み可能とするための欠け口１７が形成してある。
【００１６】
立体結合体１０は、図３（Ｂ）に示すように、潰すようにプレスされて、圧縮されて扁平に折畳まれた形態となり、便利に収納可能で、使用空間が減少される。
【実施例２】
【００１７】
図４は本考案の実施例２になる折畳み収納可能式入れケースの斜視図である。立体結合体１０Ｂの大面積予定箇所である上面に物品出し入れ口１４Ｂが設けてある。縦向きに物品を取り出せる使用状態が可能である。
【実施例３】
【００１８】
図５は本考案の実施例３になる折畳み収納可能式入れケースの斜視図である。立体結合体１０Ｃの片側のみに漸縮縁部１３があり、この漸縮縁部１３に物品出し入れ口１４Ｃが設けてある。漸縮縁部１３に対する他方側は、平らな底面となっており、縦向き使用状態が可能である。漸縮縁部１３の予定箇所には紐１６を通すための複数の貫通孔１５が形成してあり、紐１６（又は線）が貫通孔１５を通っており、吊り上げができるようになっている。
【００１９】
図６及び図７は、本考案の結合手段２０を示す。フレキシブル板１１、１２間の結合手段２０は、オス、メススナップボタン２２、２３が相互に嵌め合って、結合してある構成、或いは、差込タブ２４と差込口２５の差し入れによる位置固定タイプである。
【００２０】
図１０は、本考案の立体結合体を複数組み合わせてなる組立体４０を示す。図９は図１０の組立体４０の一部である部分組立体４１を示す。図８は図９の部分組立体４１を分解して示す。
【００２１】
立体結合体１０を構成するフレキシブル板１１、１２、及び、形成された漸縮縁部１３の所定の箇所には、組立や位置固定に合わせるためのオス、メス留め具３０、３１の設置に供するために、設置孔１８が形成してある。漸縮縁部１３は高さ方向に限らず、立体結合体１０の奥行き方向Ｙについても漸縮されている。設置孔１８は奥行き方向Ｙに漸縮されている部分よりも外側の箇所に形成してある。
【００２２】
詳細には、フレキシブル板１２の片側及びその形成された漸縮縁部１３の設置孔１８内には、オス留め具３０が設けてある。そして、フレキシブル板１２と相対して設置されたフレキシブル板１１は、設置孔１８内にメス留め具３１が設けてある。これによって、組み合わさっている立体結合体１０は幅広い面積で接触することが可能になり、漸縮縁部１３はもう一つの立体結合体１０の漸縮縁部１３と相互に重なって組み立てられる。
【００２３】
組立体４０は、立体結合体１０が複数積み重なっている両側の積重体４２及び４３と、その間の積重体４４とからなる。両側の積重体４２及び４３は、立体結合体１０の長さの分、離して配置され、積重体４２と積重体４３とは対向する側は、漸縮縁部１３がジグザグに並んでおり、三角形の凹部が対向して並んでいる状態となる。積重体４２と積重体４３との間に、立体結合体１０がその両側の漸縮縁部１３を三角形の凹部に嵌合させて、重なっている漸縮縁部１３の間を設置孔１８を通してオス、メス留め具３０、３１でもって固定してある。
【００２４】
中央の積重体４４の立体結合体１０は、両側の積重体４２及び４３の立体結合体１０に対して立体結合体１０の高さの半分だけずれた位置関係にある。中央の積重体４４の立体結合体１０の漸縮縁部１３と、両側の積重体４２及び４３の立体結合体１０の漸縮縁部１３とは交互に重なっている。
【００２５】
図１１及び図１２はオス、メス留め具３０、３１の具体的な形態を示す。オス留め具３０は、突出柱３２を有し、突出柱３２の先端に位置固定リング凹縁３３が形成してある。メス留め具３１は、突出柱３２に対応するスロット３４を有し、スロット３４のスロット口に、位置固定リング凹縁３３に対応する位置固定突止部３５が設けてある。
【００２６】
立体結合体１０を重ねて組立てるとき、図１１に示すように、相互の組立対応の設置孔１８に前記オス、メス留め具３０、３１を嵌合させて、オス、メス留め具３０、３１を組み合わせて、図１２に示すように、メス留め具３１のスロット３４にある位置固定突止部３５が、オス留め具３０の突出柱３２にある位置固定リング凹縁３３内に係合され、位置が固定される。
[効果の説明]
本考案は、従来と異なる入れケースの結合実施形態を提供し、フレキシブル板の折畳みで構成された立体結合体を利用し、しかも、大面積予定箇所に物品出し入れ口と折畳み箇所に欠け口を設けて、構成された構造体の支持強度がよく、軽量、折畳みや収納が簡単などの実用性・進歩性を持っており、それに、フレキシブル板のフレキシブルの折畳み特性で、作られた構造体の外観形態は多様な組み合わせが可能で、ユーザの購買欲を高める効果がある。
【００２７】
本考案の新しい効果を持つ事実は、次のようになる。
【００２８】
前記入れケースの立体結合体は、面積が幅広く、形成された漸縮縁部は予定箇所に、組立用オス、メス留め具の設置に供するための設置孔があり、それで、前記入れケースは単独使用や、相互に重なって組み立てることが可能になり、二つの立体結合体が相互に重なった部分に対応するために設けられた前記オス、メス留め具により、更に複数の収納空間ありの組合式立体結合体を構成している。
【００２９】
上述の実施例は本考案を具体的に説明したものであり、文中では特定の専門用語を用いて説明しているが、本考案の範囲を限定するものではなく、この技術分野を熟知した人員は本考案の精神及び原則を逸脱しない限り、本考案に変更または改良を加えることができる。しかし、それらの変更または改良は全て実用新案登録請求の範囲の範疇に含まれるものである。
【図面の簡単な説明】
【００３０】
【図１】本考案の実施例１になる折畳み収納可能式入れケースの斜視図である。
【図２】図１の折畳み収納可能式入れケースを背面側から見て示す斜視図である。
【図３】（Ａ）は図１の折畳み収納可能式入れケースの正面図、（Ｂ）は折畳んだ状態のケースを示す図である。
【図４】本考案の実施例２になる折畳み収納可能式入れケースの斜視図である。
【図５】本考案の実施例３になる折畳み収納可能式入れケースの斜視図である。
【図６】結合手段を示す図である。
【図７】結合手段を拡大して示す図である。
【図８】図９の部分組立体を分解して示す図である。
【図９】図１０中の組立体の一部である部分組立体を示す図である。
【図１０】立体結合体を複数組み合わせてなる組立体を示す図である。
【図１１】オス、メス留め具を対向させて示す断面図である。
【図１２】オス、メス留め具による結合状態を示す図である。
【符号の説明】
【００３１】
１０、１０Ｂ、１０Ｃ  立体結合体
１１、１２  フレキシブル板
１３  漸縮縁部
１４、１４Ｂ、１４Ｃ  物品出し入れ口
１５  貫通孔
１６  紐
１７  欠け口
１８  設置孔
２０  結合手段
２１  高周波結合
２２、２３  オス、メススナップボタン
２４  差込タブ
２５  差込口
３０  オス留め具
３１  メス留め具
３２  突出柱
３３  位置固定リング凹縁
３４  スロット
３５  位置固定突止部
４０  組立体
４１  部分組立体
【図１】
0003145112.tif 000003
【図２】
0003145112.tif 000004
【図３】
0003145112.tif 000005
【図４】
0003145112.tif 000006
【図５】
0003145112.tif 000007
【図６】
0003145112.tif 000008
【図７】
0003145112.tif 000009
【図８】
0003145112.tif 000010
【図９】
0003145112.tif 000011
【図１０】
0003145112.tif 000012
【図１１】
0003145112.tif 000013
【図１２】
0003145112.tif 000014